【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該筐体に設置されているエラーマイクロフォンであって、該エラーマイクロフォンは、該トランスデューサの音響出力を示すエラーマイクロフォン信号を提供する、エラーマイクロフォンと、
該筐体内の処理回路であって、該処理回路は、該アンチノイズ信号が、該周囲のオーディオサウンドの実質的なキャンセレーションを引き起こすように、該基準マイクロフォン信号から該アンチノイズ信号を適合的に生成する、処理回路と
を備え、該処理回路は、該アンチノイズ信号のレベルをモニタすることと、該アンチノイズ信号が、該トランスデューサに損傷を与え得ることを決定することと、該トランスデューサへの損傷が防止されるように、該アンチノイズ信号の該生成を調節することとをさらに行い、該処理回路は、応答を有する適合的フィルタを実装し、該応答は、該エラーマイクロフォン信号における該周囲のオーディオサウンドの存在を低減するための該アンチノイズ信号を成形し、該処理回路は、該アンチノイズ信号が該トランスデューサに損傷を与え得ることを決定することに応答して、該適合的フィルタの適合を凍結する、パーソナルオーディオデバイス。
【請求項２】
前記処理回路は、前記アンチノイズ信号が第１の閾値を超過したことを決定することに応答して、該アンチノイズ信号を制限または圧縮する、請求項１に記載のパーソナルオーディオデバイス。
【請求項３】
前記処理回路は、前記アンチノイズ信号が前記第１の閾値を超過した低周波成分を有することを決定することに応答して、該アンチノイズ信号の第１の制限または第１の圧縮を行う、請求項２に記載のパーソナルオーディオデバイス。
【請求項４】
前記処理回路は、前記信号の第１の制限または第１の圧縮の結果の全帯域幅が、第２の閾値を超過したことを決定することにより、該第１の制限または第１の圧縮の結果の第２の制限または第２の圧縮を行う、請求項３に記載のパーソナルオーディオデバイス。
【請求項５】
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該アンチノイズ信号の該低周波成分が該第１の閾値を超過した場合、該適合的フィルタの適合を凍結する、請求項１に記載のパーソナルオーディオデバイス。
【請求項６】
前記処理回路は、前記信号の第１の制限または第１の圧縮の結果の全帯域幅が前記第２の閾値を超過した場合も、前記適合的フィルタの適合を凍結する、請求項５に記載のパーソナルオーディオデバイス。
【請求項７】
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該第１の閾値または該第２の閾値のうちのいずれかが超過された場合、前記適合的フィルタの適合を凍結する、請求項１に記載のパーソナルオーディオデバイス。
【請求項８】
前記パーソナルオーディオデバイスは、ダウンリンクオーディオ信号として前記ソースオーディオを受信するためのトランシーバをさらに備えている無線電話機である、請求項１に記載のパーソナルオーディオデバイス。
【請求項９】
前記パーソナルオーディオデバイスは、オーディオ再生デバイスであり、前記ソースオーディオは、プログラムオーディオ信号である、請求項１に記載のパーソナルオーディオデバイス。
【請求項１０】
適合的ノイズキャンセリングを有するパーソナルオーディオデバイスのトランスデューサへの損傷を防止する方法であって、該方法は、
基準マイクロフォンを用いて、周囲のオーディオサウンドを測定することと、
該測定の結果から、該トランスデューサの音響出力における周囲のオーディオサウンドの影響を打ち消すためのアンチノイズ信号を適合的に生成することと、
該アンチノイズ信号をソースオーディオ信号と組み合わせることと、
該組み合わせることの結果をトランスデューサに提供することと、
エラーマイクロフォンを用いて、該トランスデューサの該音響出力を測定することであって、該適合的に生成することは、応答を有する適合的フィルタを実装し、該応答は、該トランスデューサの該音響出力の測定の結果において該周囲のオーディオサウンドの存在を低減するための該アンチノイズ信号を成形する、ことと、
該アンチノイズ信号のレベルをモニタすることと、
該アンチノイズ信号が、該トランスデューサに損傷を与え得ることを決定することと、
該トランスデューサへの損傷が防止されるように該アンチノイズ信号を調節することと、
該アンチノイズ信号が該トランスデューサに損傷を与え得ることを決定することに応答して、該適合的フィルタの適合を凍結することと
を含む、方法。
【請求項１１】
前記調節することは、前記アンチノイズ信号が第１の閾値を超過したことを決定することに応答して、該アンチノイズ信号を制限または圧縮することを含む、請求項１０に記載の方法。
【請求項１２】
前記制限または圧縮することは、前記アンチノイズ信号が前記の第１の閾値を超過した低周波成分を有することを決定することに応答して、該アンチノイズ信号の第１の制限または第１の圧縮を行うことを含む、請求項１１に記載の方法。
【請求項１３】
前記信号の第１の制限または第１の圧縮の結果の全帯域幅が、第２の閾値を超過したことを決定することにより、該第１の制限または第１の圧縮の結果の第２の制限または第２の圧縮を行うことをさらに含む、請求項１２に記載の方法。
【請求項１４】
前記アンチノイズ信号が第１の閾値を超過した低周波成分を有することを決定することに応答して、該アンチノイズ信号の第１の制限または第１の圧縮を行うことと、
該信号の第１の制限または第１の圧縮の結果の全帯域幅が、第２の閾値を超過したことを決定することにより、該第１の制限または第１の圧縮の結果の第２の制限または第２の圧縮を行うことと
をさらに含み、前記凍結は、該アンチノイズ信号の低周波成分が該第１の閾値を超過したことを決定することに応答して実行される、請求項１０に記載の方法。
【請求項１５】
前記凍結はまた、前記信号の第１の制限または第１の圧縮の結果の全帯域幅が、前記第２の閾値を超過したことを決定することに応答して実行される、請求項１４に記載の方法。
【請求項１６】
前記アンチノイズ信号が第１の閾値を超過した低周波成分を有することを決定することに応答して、該アンチノイズ信号の第１の制限または第１の圧縮を行うことと、
該信号の第１の制限または第１の圧縮の結果の全帯域幅が、第２の閾値を超過したことを決定することにより、該第１の制限または第１の圧縮の結果の第２の制限または第２の圧縮を行うことと
をさらに含み、前記凍結は、該アンチノイズ信号の低周波成分が該第１の閾値を超過したことを決定することに応答して実行され、該凍結は、該第１の閾値または該第２の閾値のうちのいずれかが超過されたことを決定することに応答して実行される、請求項１０に記載の方法。
【請求項１７】
前記パーソナルオーディオデバイスは、無線電話機であり、前記方法は、ダウンリンクオーディオ信号として前記ソースオーディオを受信することをさらに含む、請求項１０に記載の方法。
【請求項１８】
前記パーソナルオーディオデバイスは、オーディオ再生デバイスであり、前記ソースオーディオは、プログラムオーディオ信号である、請求項１０に記載の方法。
【請求項１９】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの音響出力を示すエラーマイクロフォン信号を受信するためのエラーマイクロフォン入力部と、
該アンチノイズ信号が、該周囲のオーディオサウンドの実質的なキャンセレーションを引き起こすように、該基準マイクロフォン信号から該アンチノイズ信号を適合的に生成するための処理回路と
を備え、該処理回路は、該アンチノイズ信号のレベルをモニタすることと、該アンチノイズ信号が、該トランスデューサに損傷を与え得ることを決定することと、該トランスデューサへの損傷が防止されるように、該アンチノイズ信号の該生成を調節することとをさらに行い、該処理回路は、応答を有する適合的フィルタを実装し、該応答は、該エラーマイクロフォン信号における該周囲のオーディオサウンドの存在を低減するための該アンチノイズ信号を成形し、該処理回路は、該アンチノイズ信号が該トランスデューサに損傷を与え得ることを決定することに応答して、該適合的フィルタの適合を凍結する、集積回路。
【請求項２０】
前記処理回路は、前記アンチノイズ信号が第１の閾値を超過したことを決定することに応答して、該アンチノイズ信号を制限または圧縮する、請求項１９に記載の集積回路。
【請求項２１】
前記処理回路は、前記アンチノイズ信号が前記第１の閾値を超過した低周波成分を有することを決定することに応答して、該アンチノイズ信号の第１の制限または第１の圧縮を行う、請求項２０に記載の集積回路。
【請求項２２】
前記処理回路は、前記信号の第１の制限または第１の圧縮の結果の全帯域幅が、第２の閾値を超過したことを決定することにより、該第１の制限または第１の圧縮の結果の第２の制限または第２の圧縮を行う、請求項２１に記載の集積回路。
【請求項２３】
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該アンチノイズ信号の該低周波成分が該第１の閾値を超過した場合、該適合的フィルタの適合を凍結する、請求項１９に記載の集積回路。
【請求項２４】
前記処理回路は、前記信号の第１の制限または第１の圧縮の結果の全帯域幅が前記第２の閾値を超過した場合も、前記適合的フィルタの適合を凍結する、請求項２３に記載の集積回路。
【請求項２５】
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該第１の閾値または該第２の閾値のうちのいずれかが超過された場合、前記適合的フィルタの適合を凍結する、請求項１９に記載の集積回路。
【手続補正２】
【補正対象書類名】明細書
【補正対象項目名】０００７
【補正方法】変更
【補正の内容】
【０００７】
添付の図面に例示されているとおり、本発明の前述の目的、特徴、および利点、ならびに、他の目的、特徴、および利点は、本発明の好ましい実施形態の以下のより詳細な説明から明らかとなる。
本願明細書は、例えば、以下の項目も提供する。
（項目１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該筐体内の処理回路であって、該処理回路は、該アンチノイズ信号が、該周囲のオーディオサウンドの実質的なキャンセレーションを引き起こすように、該基準マイクロフォン信号から該アンチノイズ信号を適合的に生成する、処理回路と
を備え、該処理回路は、該アンチノイズ信号のレベルをモニタすることと、該アンチノイズ信号が、該トランスデューサに損傷を与え得ることを決定することと、該トランスデューサへの損傷が防止されるように、該アンチノイズ信号の該生成を調節することとをさらに行う、
パーソナルオーディオデバイス。
（項目２）
前記処理回路は、前記アンチノイズ信号が第１の閾値を超過したことを決定することに応答して、該アンチノイズ信号を制限または圧縮する、項目１に記載のパーソナルオーディオデバイス。
（項目３）
前記処理回路は、前記アンチノイズ信号が前記第１の閾値を超過した低周波成分を有することを決定することに応答して、該アンチノイズ信号の第１の制限または第１の圧縮を行う、項目２に記載のパーソナルオーディオデバイス。
（項目４）
前記処理回路は、前記信号の第１の制限または第１の圧縮の結果の全帯域幅が、第２の閾値を超過したことを決定することにより、該第１の制限または第１の圧縮の結果の第２の制限または第２の圧縮を行う、項目３に記載のパーソナルオーディオデバイス。
（項目５）
前記筐体に設置されているエラーマイクロフォンをさらに備え、該エラーマイクロフォンは、前記トランスデューサの音響出力を示すエラーマイクロフォン信号を提供し、前記処理回路は、応答を有する適合的フィルタを実装し、該応答は、該エラーマイクロフォン信号における前記周囲のオーディオサウンドの存在を低減するための前記アンチノイズ信号を成形し、該処理回路は、該アンチノイズ信号が該トランスデューサに損傷を与え得ることを決定することに応答して、該適合的フィルタの適合を凍結する、項目１に記載のパーソナルオーディオデバイス。
（項目６）
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該アンチノイズ信号の該低周波成分が該第１の閾値を超過した場合、該適合的フィルタの適合を凍結する、項目５に記載のパーソナルオーディオデバイス。
（項目７）
前記処理回路は、前記信号の第１の制限または第１の圧縮の結果の全帯域幅が前記第２の閾値を超過した場合も、前記適合的フィルタの適合を凍結する、項目６に記載のパーソナルオーディオデバイス。
（項目８）
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該第１の閾値または該第２の閾値のうちのいずれかが超過された場合、前記適合的フィルタの適合を凍結する、項目５に記載のパーソナルオーディオデバイス。
（項目９）
前記パーソナルオーディオデバイスは、ダウンリンクオーディオ信号として前記ソースオーディオを受信するためのトランシーバをさらに備えている無線電話機である、項目１に記載のパーソナルオーディオデバイス。
（項目１０）
前記パーソナルオーディオデバイスは、オーディオ再生デバイスであり、前記ソースオーディオは、プログラムオーディオ信号である、項目１に記載のパーソナルオーディオデバイス。
（項目１１）
適合的ノイズキャンセリングを有するパーソナルオーディオデバイスのトランスデューサへの損傷を防止する方法であって、該方法は、
基準マイクロフォンを用いて、周囲のオーディオサウンドを測定することと、
該測定の結果から、該トランスデューサの音響出力における周囲のオーディオサウンドの影響を打ち消すためのアンチノイズ信号を適合的に生成することと、
該アンチノイズ信号をソースオーディオ信号と組み合わせることと、
該組み合わせることの結果をトランスデューサに提供することと、
該アンチノイズ信号のレベルをモニタすることと、
該アンチノイズ信号が、該トランスデューサに損傷を与え得ることを決定することと、
該トランスデューサへの損傷が防止されるように該アンチノイズ信号を調節することと
を含む、方法。
（項目１２）
前記調節することは、前記アンチノイズ信号が第１の閾値を超過したことを決定することに応答して、該アンチノイズ信号を制限または圧縮することを含む、項目１１に記載の方法。
（項目１３）
前記制限または圧縮することは、前記アンチノイズ信号が前記の第１の閾値を超過した低周波成分を有することを決定することに応答して、該アンチノイズ信号の第１の制限または第１の圧縮を行うことを含む、項目１２に記載の方法。
（項目１４）
前記信号の第１の制限または第１の圧縮の結果の全帯域幅が、第２の閾値を超過したことを決定することにより、該第１の制限または第１の圧縮の結果の第２の制限または第２の圧縮を行うことをさらに含む、項目１３に記載の方法。
（項目１５）
エラーマイクロフォンを用いて、前記トランスデューサの前記音響出力を測定することであって、前記適合的に生成することは、応答を有する適合的フィルタを実装し、該応答は、該トランスデューサの該音響出力の測定の結果において前記周囲のオーディオサウンドの存在を低減するためのアンチノイズ信号を成形する、ことと、
該アンチノイズ信号が該トランスデューサに損傷を与え得ることを決定することに応答して、該適合的フィルタの適合を凍結することと
をさらに含む、項目１１に記載の方法。
（項目１６）
前記アンチノイズ信号が第１の閾値を超過した低周波成分を有することを決定することに応答して、該アンチノイズ信号の第１の制限または第１の圧縮を行うことと、
該信号の第１の制限または第１の圧縮の結果の全帯域幅が、第２の閾値を超過したことを決定することにより、該第１の制限または第１の圧縮の結果の第２の制限または第２の圧縮を行うことと
をさらに含み、前記凍結は、該アンチノイズ信号の低周波成分が該第１の閾値を超過したことを決定することに応答して実行される、項目１５に記載の方法。
（項目１７）
前記凍結はまた、前記信号の第１の制限または第１の圧縮の結果の全帯域幅が、前記第２の閾値を超過したことを決定することに応答して実行される、項目１６に記載の方法。
（項目１８）
前記アンチノイズ信号が第１の閾値を超過した低周波成分を有することを決定することに応答して、該アンチノイズ信号の第１の制限または第１の圧縮を行うことと、
該信号の第１の制限または第１の圧縮の結果の全帯域幅が、第２の閾値を超過したことを決定することにより、該第１の制限または第１の圧縮の結果の第２の制限または第２の圧縮を行うことと
をさらに含み、前記凍結は、該アンチノイズ信号の低周波成分が該第１の閾値を超過したことを決定することに応答して実行され、該凍結は、該第１の閾値または該第２の閾値のうちのいずれかが超過されたことを決定することに応答して実行される、項目１５に記載の方法。
（項目１９）
前記パーソナルオーディオデバイスは、無線電話機であり、前記方法は、ダウンリンクオーディオ信号として前記ソースオーディオを受信することをさらに含む、項目１１に記載の方法。
（項目２０）
前記パーソナルオーディオデバイスは、オーディオ再生デバイスであり、前記ソースオーディオは、プログラムオーディオ信号である、項目１１に記載の方法。
（項目２１）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該アンチノイズ信号が、該周囲のオーディオサウンドの実質的なキャンセレーションを引き起こすように、該基準マイクロフォン信号から該アンチノイズ信号を適合的に生成するための処理回路と
を備え、該処理回路は、該アンチノイズ信号のレベルをモニタすることと、該アンチノイズ信号が、該トランスデューサに損傷を与え得ることを決定することと、該トランスデューサへの損傷が防止されるように、該アンチノイズ信号の該生成を調節することとをさらに行う、
集積回路。
（項目２２）
前記処理回路は、前記アンチノイズ信号が第１の閾値を超過したことを決定することに応答して、該アンチノイズ信号を制限または圧縮する、項目２１に記載の集積回路。
（項目２３）
前記処理回路は、前記アンチノイズ信号が前記第１の閾値を超過した低周波成分を有することを決定することに応答して、該アンチノイズ信号の第１の制限または第１の圧縮を行う、項目２２に記載の集積回路。
（項目２４）
前記処理回路は、前記信号の第１の制限または第１の圧縮の結果の全帯域幅が、第２の閾値を超過したことを決定することにより、該第１の制限または第１の圧縮の結果の第２の制限または第２の圧縮を行う、項目２３に記載の集積回路。
（項目２５）
前記トランスデューサの音響出力を示すエラーマイクロフォン信号を受信するためのエラーマイクロフォン入力部をさらに備え、前記処理回路は、応答を有する適合的フィルタを実装し、該応答は、該エラーマイクロフォン信号における前記周囲のオーディオサウンドの存在を低減するための前記アンチノイズ信号を成形し、該処理回路は、該アンチノイズ信号が該トランスデューサに損傷を与え得ることを決定することに応答して、該適合的フィルタの適合を凍結する、項目２１に記載の集積回路。
（項目２６）
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該アンチノイズ信号の該低周波成分が該第１の閾値を超過した場合、該適合的フィルタの適合を凍結する、項目２５に記載の集積回路。
（項目２７）
前記処理回路は、前記信号の第１の制限または第１の圧縮の結果の全帯域幅が前記第２の閾値を超過した場合も、前記適合的フィルタの適合を凍結する、項目２６に記載の集積回路。
（項目２８）
前記処理回路は、前記アンチノイズ信号が前記の第１の閾値を超過した低周波成分を有することを決定することに応答して、該アンチノイズ信号の第１の制限または第１の圧縮を行い、該処理回路は、該信号の第１の制限または第１の圧縮の結果の全帯域幅が第２の閾値を超過したことを決定することにより、該第１の制限または第１の圧縮の結果の第２の制限または第２の圧縮を行い、該処理回路は、該第１の閾値または該第２の閾値のうちのいずれかが超過された場合、前記適合的フィルタの適合を凍結する、項目２５に記載の集積回路。